(57)【要約】  ハンドバッグ１０は、組み込まれた電源２０、組み込まれた導電性ネットワーク及び該ハンドバッグ１０に分離可能に関連付けられた多機能ストラップ１４に動作的に関連されたユーザインタフェースを備え、これらすべては、複数のポータブル電子装置１８を個々に及び／又は同時に管理することに関連した全般的な経験を改善する手段を提供するために共動する。ハンドバッグ１０は、動作的に電源、導電性ネットワーク及びユーザインタフェースに接続されるように、様々なポータブル電子装置１８の何れかを収容することに適した、いかなる様々な個人のアイテム及び手段を収容する少なくとも１つの仕切りを規定する本体１２を有する。加えて、ハンドバッグ１０は、該ハンドバッグに動作的に関連付けられたユーザインタフェース３０，６０を有する分離可能ストラップ１４を含む。ストラップ１４は、ポータブル電子装置１８を遠隔装置に接続し、外部電源を介して組み込まれた電源２０を充電することに都合よく適している。
2008515076.tif 000002
【特許請求の範囲】
【請求項１】
少なくとも１つの第１ポケット及び１以上の第２ポケットを規定する本体と、
前記本体に分離可能に接続された多機能ストラップと、
を有し、前記本体が、前記第２ポケットにより収容された１以上のポータブル電子装置に動作的に接続可能な回路及び組み込まれた電源を有するハンドバッグ。
【請求項２】
前記多機能ストラップが、様々な異なる電子装置と動作的に相互作用することに適した制御インタフェースを含む、請求項１に記載のハンドバッグ。
【請求項３】
前記制御インタフェースが、導電性ファイバメッシュからつくられる、請求項２に記載のハンドバッグ。
【請求項４】
前記多機能ストラップが、様々な遠隔電子装置の何れかに動作的に接続することに適した第１コネクタを有する、請求項１に記載のハンドバッグ。
【請求項５】
前記第１コネクタが、前記第２ポケットにより収容される前記ポータブル電子装置と、前記様々な遠隔電子装置との間の効果的な相互通信を円滑にするために、前記回路と共動する請求項４に記載のハンドバッグ。
【請求項６】
前記多機能ストラップが、遠隔電源に電気的に接続することに適した第２コネクタを含む、請求項１に記載のハンドバッグ。
【請求項７】
前記第２コネクタが、前記第２ポケットにより収容された前記ポータブル電子装置と、前記様々な遠隔電源との間の効果的な電気的な伝達を容易にするために前記回路と共動する、請求項６に記載のハンドバッグ。
【請求項８】
遠隔電源に接続することに適した第１手段と、
１以上の遠隔電子装置に接続することに適した第２手段と、
を有し、前記遠隔装置を制御する制御インタフェースを含む、ハンドバッグに釈放可能に接続された多機能ストラップ。
【請求項９】
前記第１手段が、前記遠隔電源を前記ハンドバッグ内の組み込まれた電源に導電的に接続する、請求項８に記載のストラップ。
【請求項１０】
前記第２手段が、前記１以上の遠隔装置の何れかを、前記ハンドバッグにより収容された何れかの１以上の組み込まれた装置に動作的に接続する、請求項８に記載のストラップ。
【請求項１１】
前記制御インタフェースが、前記１以上の遠隔装置の何れかと、前記ハンドバッグにより収容される何れかの１以上の組み込まれた装置との間の、動作的な通信を容易にする、請求項８に記載のストラップ。
【請求項１２】
前記第１手段が、ＡＣ電源、ＤＣ電源又はその両方との共動的な結合に適した電力プラグである、請求項８に記載のストラップ。
【請求項１３】
前記第２手段がＵＳＢコネクタである、請求項８に記載のストラップ。
【請求項１４】
ハンドバッグにより収容された様々なポータブル電子装置に動作的に接続される導電性回路及び組み込まれた電源を前記ハンドバッグに設けるステップと、
前記ポータブル装置の何れか１つ若しくはそれ以上、遠隔電源、遠隔装置又はこれらの何れかの組み合わせに動作的に接続可能である、分離可能、多機能ストラップを前記ハンドバッグに設けるステップと、
前記ポータブル装置の何れか１つ若しくはそれ以上、前記組み込まれた電源、前記遠隔電源、又はこれらの何れかの組み合わせにも同時に又は個々に動作的に前記ストラップを接続するステップと、
を有する方法。
【請求項１５】
前記ハンドバッグが、少なくとも１つの収容用の第１ポケットを有する、請求項１４に記載の方法。
【請求項１６】
前記多機能ストラップが、様々な異なる電子装置と動作的に相互作用することに適した制御インタフェースを含む、請求項１４に記載の方法。
【請求項１７】
前記多機能ストラップが、様々な遠隔電子装置の何れかに動作的に接続することに適した第１コネクタを含む、請求項１４に記載の方法。
【請求項１８】
前記第１コネクタが、前記第２ポケットにより収容された前記ポータブル電子装置と、前記様々な遠隔電子装置との間の効果的な相互通信を円滑にするために、前記回路と共動する、請求項１７に記載の方法。
【請求項１９】
前記多機能ストラップが、遠隔電源に電気的に接続することに適した第２コネクタを含む、請求項１に記載のハンドバッグ。
【請求項２０】
前記第２コネクタが、前記第２ポケットにより収容された前記ポータブル電子装置と、前記様々な遠隔電源との間の効果的な電気的伝達を容易にするために前記回路と共動する、請求項１９に記載のハンドバッグ。
【発明の詳細な説明】
【技術分野】
【０００１】
本開示は、一般にポータブル電子装置の管理に向けられる。特に、本開示は、様々なポータブル電子装置がサービスされ、アクセスされる及び／又はそうでなければ管理されることができるように、該装置を維持することに適したスマートハンドバッグに向けられる。
【背景技術】
【０００２】
例えばデジタルカメラ、携帯電話、ＰＤＡのようなポータブル電子装置、ＭＰ３プレーヤのような様々なエンタテイメントシステム、及び様々な他の類似の装置のいかなるものも、様々な遠隔地でユーザに非常に大きな融通性及び利便性を提供する。人々がこれらの様々なポータブル装置により与えられた恩恵にますます依存するようになっているので、該装置が、いつでも効果的に使用する状態であり、容易にアクセスできるということを保証する需要が、自然に発達してきた。この需要及び効果的にポータブル電子装置を利用することに関連した他の需要に取り組もうと努力して、様々な解決策が開発されてきたが、今までどの解決策も、これらの需要に普遍的に取り組んでいない。
【０００３】
例えば人々が、１より多くのポータブル電子装置を有し、それらに頼っていて、全てのこれらの装置が、ポータブル手段（すなわちバッテリ）により電力を供給されるとき、人々は、典型的に各々のポータブル電力手段全てを個々に充電しなければならない。全てのポータブル装置に対して、それらが直ちに利用可能であることを保証するサービスに関連する処理は、多くの時間を消費し、不便なものであり得る。人々が全ての装置を同時又はほぼ同時にサービスすることを必要とするときは、特にそうである。付加的に、人々がこれらの異なるポータブル装置を他の遠隔電子装置と通信するために利用する場合、関連した処理は、しばしば面倒であり、典型的に人に対して複数の異なる接続アクセサリ（例えば充電器、変圧器、アダプタ等）を持ち運ぶことを必要とする。したがって、空間、効率性及び利用の点で様々な電子装置／アクセサリの効果的な管理は、しばしば努力を要するタスクであり、努力にもかかわらず今でもどうやってポータブル電子装置がサービスされ、アクセスされ、及び／又はそうでなければ管理されることを改善するかに対する需要がある。
【発明の開示】
【発明が解決しようとする課題】
【０００４】
本発明は、複数のポータブル電子装置を個々に及び／又は同時に効果的に記憶、維持、アクセス及び／又はそうでなければ管理する手段を提供することにより、ポータブル電子装置管理に関する不利な点及び／又は欠点に取り組む。
【課題を解決するための手段】
【０００５】
本発明の説明的な実施例では、少なくとも組み込まれた電源、組み込まれた導電性ネットワーク及びユーザインタフェースを含むハンドバッグが提供される。本発明は、様々なポータブル装置の効果を高め、最終的に、複数のポータブル電子装置を個々に及び／又は同時に管理することに関する全体の体験を改善する手段を有益に提供する。
【０００６】
本発明の有益な態様によると、前記ハンドバッグは、様々な個人のアイテムを収容することに適した少なくとも１つの仕切りと、様々なポータブル電子装置の何れかを収容することに適した手段とを規定する本体を含む。電源及び導電性ネットワークは、該本体に組み込まれて関連され、前記ハンドバッグにより収容される前記ポータブル電子装置に動作するように接続される。
【０００７】
本発明の他の有益な態様では、前記ハンドバッグは、動作するように関連付けられたユーザインタフェースをもつ分離可能なストラップを有する。該ストラップは、ポータブル電子装置を遠隔装置に接続し、外部の電源を介して、組み込まれた電源の充電をすることにも有利には適している。
【０００８】
本発明の付加的な及び／又は代替の態様、特徴及び利点は、本発明の例となる実施例の以下の詳細な説明を参照して、明らかになるだろう。
【０００９】
本発明をよりよく理解するために、参照は、添付の図面と組み合わせて考慮される以下の詳細な説明に対してなされる。
【発明を実施するための最良の形態】
【００１０】
図面、特に図１を参照して説明的な例により、参照符号１０により全体的に表される、本発明によるハンドバッグが示される。示されるように、ハンドバッグ１０は、本体１２と、該本体１２に動作するように接続可能な少なくとも１つのストラップ１４とを有する。本体１２は、様々な異なる個人的なアイテムのいくつかを収容することに適した少なくとも１つの第１ポケット１５と、各々がポータブル電子装置１８を収容することに適した１以上の第２ポケット１６とを規定する。本体１２は、組み込まれた電源２０と、第２ポケット１６により収容されたいかなる１以上のポータブル電子装置１８及び前記組み込まれた電源２０を動作するよう接続する回路２２とを有する。
【００１１】
本発明の態様では、組み込まれた電源２０は、ストラップ１４を介して遠隔電源２４により再充電することができる再充電可能バッテリである。組み込まれた電源２０は、好ましくは著しくスペースをとらないように、相対的に平らなロープロファイルである。組み込まれた電源２０は、好ましくは二次的なポケット１６に収容されたポータブル電子装置１８に電力を供給することに加えて、ハンドバッグ１０から離れている様々な他の電子装置の何れかにも電力を供給することができる。この動作は、例えばストラップ１４を介して達成され得る。本発明の他の態様では、組み込まれた電源２０は、ハンドバッグ１０と分離可能に関連付けられ得る。例えば電源２０は、ハンドバッグ１０の表面２６に分離可能に接続され得る。
【００１２】
本発明の他の態様によると、回路２２は、導電性のネットワークであり、好ましくは第２のポケット１６により収容されるいかなる１以上のポータブル電子装置１８も、組み込まれた電源２０に電気的に接続することに加えて、ストラップ１４と共動で、このようなポータブル装置１８と様々な遠隔装置２８のいくつかとの間の動作的な通信を円滑にすることができる。本発明の態様では、回路２２は、ポータブル電子装置１８及び／又は遠隔装置２８を制御又はそうでなければ操作するように、このような装置と共動する制御インタフェース３０を含む。回路２２は、ハンドバッグ１０の表面２６と好ましくは組み込んで関連付けられた、プリントされた導電性のインクの形態であり得る。更に、ここで示されることから当業者には容易に明らかであるように、回路２２は、同等に様々な異なる態様で達成され得る。例えば回路２２は、図６に示されるようなファイバ構造３２を介して達成され得、該回路は、ハンドバッグ１０を形成する材料に組みこんだ可撓性、弾力性且つ別個の導電性ネットワークを形成するために、織る、縫う又は編むような既知のあらゆる方法により、１以上の非導電性ファイバ３６と編み合わされた１以上の導電性ファイバ３４を含む。
【００１３】
本発明の他の態様による第２ポケット１６は、いかなる様々な異なる形状及び／又はサイズでもあり得る。第２ポケット１６は、好ましくは、そこに収容されたポータブル電子装置１８と、組み込まれた電源２０との間の導電的な伝達を容易にする第１手段を含む。例えば第１手段は、少なくとも一部が各第２ポケット１６と動作するように関連付けられた布の相互接続構成であり得る。示されるように該相互接続構成は、いかなる電子装置１８，２８の電力ポートに動作するように接続することに適した、コネクタ４０を含む。コネクタ４０は、効果的な電気的伝達を達成するために適切なように、各ポータブル電子装置１８に組み込まれるか、又は代替として分離可能にそこに接続され得る。付加的に、相互接続構成は、例えば回路２２を介して、組み込まれた電源２０と電気的に伝達するように、各第２ポケット１６と関連付けられた１以上の既定の導電性領域４２を含み得る。導電性領域４２は、例えば各第２ポケット１６の少なくとも一部と関連付けられた材料特性を介して、本来導電性であり得る。導電性領域４２は、例えば金属を被着されたホイル、導電性ポリマ、又は黒鉛若しくは金属を被着されたファイバ若しくは糸のような、いかなる適切な導電性材料からもつくることができる。代替として又は付加的には、導電性領域４２は、導電性インクのような導電性のコーティングを介して導電性にされ得る。導電性領域４２は、本発明の目的を達成することに適したいかなる様々な形状、サイズ及び／又はコンフィギュレーションでもあり得る。例えば各導電性領域４２は、重量、張力及び使用における弾性耐久力に対する堅牢性のある複数の突き出ている導電性ファイバによって、規定され得る。突き出ているファイバは、いかなる様々な異なる接続タイプも収容するために、異なる形状、サイズ又はコンフィギュレーションであり得る。
【００１４】
本発明の更に他の態様によると、各第２ポケット１６は、更に、該第２ポケット１６に収容されたポータブル電子装置１８と、いかなる１以上の遠隔装置２８との間の動作的な通信を円滑にすることに適した第２手段を備え得る。第１手段と類似して、第２手段は、例えば各第２ポケット１６と動作するよう関連付けられた導電性パターン５０及び／又はコネクタ４８を利用した布状相互接続構成の形態をとり得る。この相互接続構成は、様々な異なる通信接続タイプを容易にする。
【００１５】
図２及び３を参照して、本発明の更なる態様によるストラップ１４は、遠隔電源２４に接続する手段及び様々な遠隔装置２８に接続する手段を有する多機能なものである。例えば、ストラップ１４は、第１端５２及び第２端５４を有し得、各々がハンドバッグ１０の本体１２と分離可能に接続するよう適用される。本発明の一態様では、第１端５２は、ユニバーサルシリアルバス（ＵＳＢ）コネクタ等のような、ＰＤＡ、デジタルカメラ、パーソナルコンピュータ、ラップトップ、プリンタ、携帯電話等の図２に示されたような装置を含む複数の遠隔装置のいくつかと共動して結合することに適した第１コネクタ５６を規定する。第２端５４は、図３に示されるように、ＡＣ電源（例えば壁ソケット）及び／又はＤＣ電源（例えばバッテリ）と共動して結合することに適した電源プラグ等のような第２コネクタ５８を規定する。したがって、第１コネクタ５６が、本体１２から分離され、遠隔装置２８に動作的に接続される場合、第２ポケット１６のいずれかに収容されたいかなる１以上のポータブル装置１８も、該装置間の効果的な通信を円滑にするように、回路２２を介してこのような遠隔装置２８に接続可能である。更に、第２コネクタ５８が本体１２から分離され、遠隔電源２４に電気的に接続される場合、第２ポケット１６のいずれかにより収容されるいかなる１以上のポータブル装置１８及び／又は回路２２を介して組み込まれた電源２０は、前記遠隔電源により再充電可能である。
【００１６】
図４を参照して、本発明の有利な態様では、ストラップ１４は、更に組み込まれた制御インタフェース６０を備える。制御インタフェース６０は、好ましくは第２ポケット１６により収容された様々なポータブル装置１８のいずれかとも共動することに適している。制御インタフェース６０は、例えば上記の回路２２に類似するファイバ構造から作り上げられ得る。すなわち、再び図６を参照して、導電性及び非導電性ファイバ３４，３６のメッシュは、可撓性電子布状制御インタフェース６０をつくるために、編み合わすことができる。制御インタフェース６０は、異なるアプリケーションの使用を容易にする多数の異なるパターンに形成することができる。
【００１７】
制御インタフェース６０は、個々の織られたファイバの組み合わせから形成されることに加えて、同等に関連付けられた導電性特性を有する材料層の適切な組み合わせから形成され得、１以上の電気スイッチ及び／又は制御器６２を形成することに適している。制御インタフェース６０は、いかなる様々な形態もとることができ、いかなる様々な制御器６２も含み得る。したがって、制御インタフェース６０は、ストラップ１４の効果的な利用及び／又は耐久性を妥協することなく、様々な異なる電子装置のいくつかとも共動するように、ストラップ１４に組み込まれることができ、好ましくは非常に可撓性、軽量、高性能な電子インタフェースである。
【００１８】
図５に示されるように、制御インタフェース６０は、本発明の更なる態様により、様々な異なる電子動作を達成するように、ハンドバッグ１０から動作的に分離し得る。例えば示されるように、制御インタフェース６０は、このような遠隔装置２８に電力を供給する及び／又はこのような装置に関連する異なる動作を実行するように、所望のように同時に又は独立して、遠隔電源２４及び遠隔装置２８に動作的に接続され得る。当業者には本開示から認識されるように、ストラップ１４は、様々な付加的な及び／又は代替の特徴の何れかを有し得、使用時に異なるアプリケーションを収容するために、必要に応じて調整、伸張、及び／又は交換が可能であり得るということに留意されたい。
【００１９】
本開示の説明的な実施例の様々な態様及び／特徴を識別し、説明した場合、組み込まれた電源、回路をつなぐ及び分離可能な導電性回路、多機能ストラップと共にここに開示されたハンドバッグは、人が、個々に及び／又は同時に複数のポータブル電子装置を効果的に管理することができるようにする。
【００２０】
上記の説明された実施例及びその様々な態様及び特徴は、単に説明するものであり、当業者らは、多くの変形例及び／又は修正を、本発明の要旨及び範囲から逸脱することなくつくり得るということが、理解されるだろう。すべてのこのような変形及び修正は、請求項に規定された本発明の範囲内に含まれるように意図される。
【図面の簡単な説明】
【００２１】
【図１】図１は、本発明の説明的な実施例によるハンドバッグの概要図である。
【図２】図２は、本発明の例となる態様による様々な遠隔装置に動作するように接続された、図１のハンドバッグの概要図である。
【図３】図３は、本発明の他の例となる態様による様々な電源に動作するように接続された、図１のハンドバッグの概要図である。
【図４】図４は、本発明の更に他の例となる態様による、動作するように関連付けられたユーザインタフェースをもつストラップを有する、図１のハンドバッグの透視図である。
【図５】図５は、遠隔装置及び電源に動作するよう直接関連された、図３のストラップの概要図である。
【図６】図６は、本発明の更に他の説明的な態様による、ファイバ構造の平面図である。
【図１】
2008515076.tif 000003
【図２】
2008515076.tif 000004
【図３】
2008515076.tif 000005
【図４】
2008515076.tif 000006
【図５】
2008515076.tif 000007
【図６】
2008515076.tif 000008
【国際調査報告】
2008515076.tif 000009
2008515076.tif 000010
2008515076.tif 000011